(57)【要約】【課題】着用者の首に加えて顔についても日焼けなどを十分に防止できる帽子を提供する。【解決手段】帽子１は、着用者の頭に被せられるクラウン部２と、クラウン部２から前方に突き出るツバ部３と、クラウン部の開口周縁のツバ部３を除く部分に上端縁が取り付けられる第１日除け部４と、第１日除け部４の内側において、上端縁が垂れ下がるようにして両側端縁がツバ部３に取り付けられる第２日除け部５と、を備える。第２日除け部５の上端縁には全長にわたり伸縮可能な弾性部材７が内蔵されている。【選択図】図１
0003208582.tif 000002
【実用新案登録請求の範囲】
【請求項１】
着用者の頭に被せられるクラウン部と、
前記クラウン部から前方に突き出るツバ部と、
前記クラウン部の開口周縁の前記ツバ部を除く部分に上端縁が取り付けられる第１日除け部と、
前記第１日除け部の内側において、上端縁が垂れ下がるようにして両側端縁が前記ツバ部に取り付けられる第２日除け部と、を備える帽子。
【請求項２】
前記第２日除け部の上端縁には全長にわたり伸縮可能な弾性部材が内蔵されている請求項１に記載の帽子。
【請求項３】
前記弾性部材には、長さを調節可能な調節部材が設けられている請求項２に記載の帽子。
【考案の詳細な説明】
【技術分野】
【０００１】
本考案は、帽子に関する。
【背景技術】
【０００２】
従来から、屋外での活動に際して、日焼けを防止する目的で日除けフードを備えた帽子が用いられている。この種の帽子では、例えば特許文献１に示すように、着用者の首の主に後側を覆うようにして日除けフードが帽子に取り付けられているものが一般的である。
【先行技術文献】
【特許文献】
【０００３】
【特許文献１】特開２００６−０９７２０９号公報
【考案の概要】
【考案が解決しようとする課題】
【０００４】
しかしながら、上記した特許文献１に記載の帽子は、着用者の頭や首の後側の日焼けは防止することができるが、顔の日焼けを防止することができない。そのため、着用者の顔についても日焼けを十分に防止できる帽子が望まれている。
【０００５】
本考案は、上記した課題に着目してなされたもので、着用者の首に加えて顔についても日焼けを十分に防止できる帽子を提供することを目的とする。
【課題を解決するための手段】
【０００６】
本考案の上記目的は、着用者の頭に被せられるクラウン部と、前記クラウン部から前方に突き出るツバ部と、前記クラウン部の開口周縁の前記ツバ部を除く部分に上端縁が取り付けられる第１日除け部と、前記第１日除け部の内側において、上端縁が垂れ下がるようにして両側端縁が前記ツバ部に取り付けられる第２日除け部と、を備える帽子により達成することができる。
【０００７】
上記構成の帽子において、前記第２日除け部の上端縁には全長にわたり伸縮可能な弾性部材が内蔵されていることが好ましい。
【０００８】
また、上記した構成の帽子において、前記弾性部材には、長さを調節可能な調節部材が設けられていることがさらに好ましい。
【考案の効果】
【０００９】
本考案の帽子によれば、第１日除け部により着用者の首の後側の日焼けなどを防止することができるうえ、第２日除け部を前方に持ってきて、その上端縁を着用者の顔の目や鼻、顎の下に位置させることで、ツバ部とともに第２日除け部により着用者の顔や首の前側の日焼けを防止することができる。
【図面の簡単な説明】
【００１０】
【図１】本考案の帽子の着用状態を示す正面図である。
【図２】本考案の帽子の着用状態を示す斜視図である。
【図３】本考案の帽子の底面図である。
【図４】本考案の帽子の第２日除け部を第１日除け部に重ねた状態の底面図である。
【図５】本考案の帽子の他の着用状態を示す斜視図である。
【考案を実施するための最良の形態】
【００１１】
以下、本考案の実施形態について、添付図面を参照して説明する。図１及び図２は、本考案の一実施形態である帽子１が着用された状態の外観構成を示している。帽子１は、屋外での活動に際し、着用者の日焼けを防止するために着用されるものであり、着用者の頭に被せられるクラウン部２と、クラウン部から前方に突き出るツバ部３と、第１日除け部４及び第２日除け部５とを備えている。
【００１２】
クラウン部２は、着用者の頭を覆うことができるように下端が開口した中空の半球状あるいは円筒状などに形成されており、天井部２０と、天井部２０の周縁から吊り下がる周壁部２１とを有し、天井部２０の周縁に周壁部２１の上端縁を縫い合わせて一体化してある。このクラウン部２は、従来からある帽子と同様、適当な大きさに裁断された布状の素材を縫い付けることで形成される。この際、例えば、適当な数のステッチを設けるなどして、クラウン部２の形崩れを防ぎ、耐久性をもたせるようにしている。クラウン部２は、表地と裏地の二層構造からなり、裏地は通気性を有する素材が用いられる一方、表地は例えば防水性や速乾性を有する素材が用いられている。なお、クラウン部２の表地及び裏地の素材は、これに限定されるものではなく、従来からある帽子において、クラウン部２の表地、裏地として用いられるものであれば、種々の柔軟な素材を用いることができる。
【００１３】
周壁部２１の内面で、着用者の頭に直接接する部分には、図４に示すように、帯状のスベリ部材２２が全周にわたって縫製により取り付けられている。このスベリ部材２２は、着用者の汗取りなどを目的とするものであり、吸水性と速乾性を有する素材により構成されている。
【００１４】
周壁部２１の後側には、図２に示すように、上下に延びるスリット２３が設けられており、このスリット２３を開くことにより周壁部２１には後方に窓部（図示せず）が形成される。この窓部により、例えば髪の長い女性が帽子１を着用した際に、束ねた髪（ポニーテールなど）を帽子１の外に出すことができる。なお、このスリット２３は必ずしも設けられている必要はない。
【００１５】
ツバ部３は、扇台形状に形成されており、その内周縁３０がクラウン部２の開口周縁の前側部分にミシンなどで縫い合わされ、ツバ部３がクラウン部２と一体となっている。個のツバ部３により、着用者の顔や首の前側部分などに太陽光が直接当たることが抑制される。
【００１６】
第１日除け部４は、例えば布地などの通気性がよくかつ肌触りのよい素材により構成され、着用者の頭の後頭部と首の後側部分とを十分に覆うことができる大きさに形成されている。第１日除け部４により、着用者の後頭部や首の後側部分などが太陽光から保護される。第１日除け部４は、図３に示すように、上端縁がクラウン部２の開口周縁のツバ部３を除く部分である後側部分に縫い合わされ、両側端縁がツバ部３の両側端縁に縫い合わされることで、一体化されている。
【００１７】
第２日除け部５は、例えば布地などの通気性がよくかつ肌触りのよい素材により構成される。第２日除け部５は、帽子１において、第１日除け部４よりも内側に設けられている。この第２日除け部５は、図１、図３及び図４に示すように、上端縁が垂れ下がるようにして両側端縁がツバ部３の両側端縁に逢い合わされることで、一体化されている。これにより、第２日除け部５を前方に持ってきた際に、第２日除け部５の上端縁とツバ部３の下面との間に開口部６が形成される。よって、この開口部６により着用者の視野が確保されながら、第２日除け部５により着用者の顔や首の前側部分などが太陽光から保護される。第２日除け部５は、着用者の顔の目より下側部分と首の前側部分とを十分に覆うことができる大きさに形成されている。
【００１８】
第２日除け部５の上端縁は、凹状に湾曲している。これにより、良好に着用者の視野が確保されている。また、第２日除け部５の上端縁には、伸縮可能な弾性部材７が全長にわたって内蔵されている。弾性部材は、ゴム紐やゴムバンドなどの弾性を有する紐状体又は帯状体から構成されている。第２日除け部５の上端縁は、ピンと張った状態ではなく、長さに余裕のあるダブついた状態でツバ部３の両側端縁の間に架け渡されており、これにより、第２日除け部５の上端縁の位置を上下に調整することができる。つまり、平常時は、第２日除け部５の上端縁が着用者の目の下でかつ鼻の上に位置する場合でも、着用者の使い方に応じて鼻の下や顎の下に位置させることができる。なお、第２日除け部５を伸縮性を有する素材で構成すれば、第２日除け部５の上端縁は必ずしもダブついた状態とする必要はない。
【００１９】
弾性部材７には、図４に示すように、長さを調節可能な調節部材８が設けられている。第２日除け部５の上端縁には、内部の弾性部材７の一部分を露出させる露出孔（図示せず）が設けられており、露出孔から露出した弾性部材７の一部分は折り重ねられた状態で調節部材８の通し孔８０内に挿通され、通し孔８０内で挟持部材８１により挟持されている。この調節部材８の通し孔８０に挿通される弾性部材７の一部分の長さを変更することで、弾性部材７の長さを調節できる。なお、調節部材８は、弾性部材７の長さを調節できるものであれば、その他、従来から公知のものを用いることができる。
【００２０】
上記構成の本実施形態の帽子１によれば、第１日除け部４により着用者の後頭部や首の後側部分が覆われるので、当該部分に太陽光が当たることを防止することができる。また、第２日除け部５を前方に持ってきて、その上端縁を着用者の顔の目の下に位置させることで、第２日除け部５により着用者の顔の目の下の部分や首の前側部分が覆われるので、当該部分に太陽光が当たることを防止することができる。なお、着用者の顔の第２日除け部５により覆われていない部分は、ツバ部３により太陽光が直接当たることが防止されている。
【００２１】
このように、本実施形態の帽子１によれば、着用者の首に加えて顔についても太陽光が当たることが防止されるので、日焼けなどを十分に防止することができる。
【００２２】
さらに、本実施形態の帽子１によれば、図５に示すように、第２日除け部５を後方に持ってきて、第１日除け部４と重ねた状態で着用者の後頭部や首の後側部分を覆うこともできる。これにより、第２日除け部５が顔の前にあると邪魔となる場合には、第２日除け部５を後方に持ってくることで、第２日除け部５が邪魔とならず、また、着用者の後頭部や首の後側部分の日焼けを第１日除け部４及び第２日除け部５により効果的に防止することができる。
【００２３】
さらに、第２日除け部５の上端縁に弾性部材を内蔵し、第２日除け部５の上端縁の位置を上下に調整することができるので、第２日除け部５の位置を目の下や鼻の下など着用者の使い方に応じて調整することができる。
【００２４】
以上、本発明の一実施形態について詳述したが、本発明の具体的な態様は上記実施形態に限定されず、本発明の趣旨を逸脱しない限りにおいて種々の変更が可能である。例えば、上記実施形態では、弾性部材７には調節部材８が設けられているが、この調節部材８は必ずしも設けられている必要はない。また、第２日除け部５の上端縁に弾性部材７が内蔵されているが、この弾性部材７は必ずしも内蔵されている必要はない。
【符号の説明】
【００２５】
１    帽子
２    クラウン部
３    ツバ部
４    第１日除け部
５    第２日除け部
７    弾性部材
８    調節部材
【図１】
0003208582.tif 000003
【図２】
0003208582.tif 000004
【図３】
0003208582.tif 000005
【図４】
0003208582.tif 000006
【図５】
0003208582.tif 000007